(57)【要約】      （修正有）【課題】ノベルティーグッズの価値を毀損することなく、使用者の所定の情報を顧客に伝達可能なノベルティーグッズ包装体を提供する。【解決手段】使用者が選択したノベルティーグッズ２０と、使用者の所定の情報を記載したメッセージカード３０と、ノベルティーグッズを包装する包装部４０と、を有し、メッセージカードは、包装体の内部または外部に配置されている。【選択図】図１
0003222179.tif 000002
【実用新案登録請求の範囲】
【請求項１】
使用者が選択したノベルティーグッズと、
前記使用者の所定の情報を記載したメッセージカードと、
前記ノベルティーグッズを包装する包装部と、を有し、
前記メッセージカードは、前記包装体の内部または外部に配置したノベルティーグッズ包装体。
【請求項２】
前記メッセージカードは、その裏面に粘着する粘着部を有するシールである請求項１記載のノベルティーグッズ包装体。
【請求項３】
前記メッセージカードは、折り線を有する請求項１記載のノベルティーグッズ包装体。
【請求項４】
前記メッセージカードは、少なくとも企業のロゴマークを記載する請求項１から３のいずれか１項に記載のノベルティーグッズ包装体。
【考案の詳細な説明】
【技術分野】
【０００１】
本考案は、ノベルティーグッズと、それを包装する包装部と所定の情報を記載したメッセージカードを有する包装体に関するものである。
【背景技術】
【０００２】
使用者が宣伝活動を行う時に、いわゆるノベルティーグッズを顧客に頒布する場合がある。その際にその使用者が企業である場合にその企業の名称をそのノベルティーグッズに直接印刷する場合がある。
【０００３】
例えば、特開２００８-１４５４９５号公報において、広告を印刷した紙ナプキン、紙エプロン、ペーパータオル、トイレットペーパー、トレイマット、メニュー等の飲食店における紙製の消耗品及びノベルティが開示されている。
【０００４】
上記発明のようにノベルティーグッズに所定の情報である企業名等の広告を印刷したとしても、そのように広告が印刷されたノベルティーグッズは、そのノベルティーグッズそのものの価値が毀損されることになり、顧客がノベルティーグッズを受領することを敬遠する場合がある。この場合において、使用者は、顧客に対し所定の情報を伝達することが困難となる。
【先行技術文献】
【特許文献】
【０００５】
【特許文献１】特開２００８−１４５４９５号公報
【考案の開示】
【考案が解決しようとする課題】
【０００６】
本考案は、前記の点に着目してなされたもので、その課題は、ノベルティーグッズの価値を毀損することなく、使用者の所定の情報を顧客に伝達可能なノベルティーグッズを包装するノベルティーグッズ包装体を提供することを目的とする。
【０００７】
第１観点におけるノベルティーグッズ包装体は、使用者が選択したノベルティーグッズと、使用者の所定の情報を記載したメッセージカードと、ノベルティーグッズを包装する包装部と、を有し、メッセージカードは、包装体の内部または外部に配置したというものである。
【０００８】
第２観点におけるノベルティーグッズ包装体は、第１観点において、メッセージカードは、その裏面に粘着する粘着部を有するシールであるというものである。
【０００９】
第３観点におけるノベルティーグッズ包装体は、第１観点において、メッセージカードは、折り線を有するというものである。
【００１０】
第４観点におけるノベルティーグッズ包装体は、第１観点から第３観点において、メッセージカードは、少なくとも企業のロゴマークを記載するというものである。
【考案の効果】
【００１１】
本考案によれば、ノベルティーグッズの価値を毀損することなく、使用者の所定の情報を顧客に伝達可能なノベルティーグッズを包装するノベルティーグッズ包装体を提供することができる。
【図面の簡単な説明】
【００１２】
【図１】Ａは、本実施例のノベルティーグッズ包装体の斜視図である。Ｂは、他の実施例のノベルティーグッズ包装体の斜視図である。
【図２】Ａは、ノベルティーグッズを示す図である。Ｂは、他のノベルティーグッズを示す図である。
【図３】Ａは、メッセージカードを示す図である。Ｂは、他のメッセージカードを示す図である。
【図４】Ａは、他のメッセージカードを示す図である。Ｂは、他のメッセージカードを示す図である。
【図５】Ａは、山折り線を有するメッセージカードを示す図である。Ｂは、谷折り線を有するメッセージカードを示す図である。
【図６】Ａは、山折り線を折り曲げたメッセージカードの斜視図である。Ｂは、谷折り線を折り曲げたメッセージカードの斜視図である。
【図７】Ａは、包装部を示す図である。Ｂは、他の包装部を示す図である。
【考案を実施するための形態】
【００１３】
本実施例におけるノベルティーグッズ包装体１０は、使用者が選択したノベルティーグッズ２０と、その使用者の所定の情報を記載したメッセージカード３０と、そのノベルティーグッズを包装する包装部４０と、を有するものである。
【００１４】
図示しない使用者が選択したノベルティーグッズ２０とは、例えば靴下２０Ａ、動物の形状を模した付箋２０Ｂである。これらは、図示しない使用者が、顧客の好みを考慮して選択するものであり、例えば顧客が、会社員であれば、靴下２０Ａが好ましく、女性であれば、動物の形状を模した付箋２０Ｂが好まれる傾向がある。また、これらに限られず、メモ帳、筆記具などの文房具、あるいは、カップなどの食器類、ランタンなどのアウトドア用品などの様々なものをノベルティーグッズとして選択することができる。
【００１５】
次に、その使用者が顧客に対し伝達したい情報すなわち、その使用者の所定の情報を記載したメッセージカード３０について説明する。ここで所定の情報とは、例えば、使用者が企業の場合に、その企業のロゴマーク３１１、その企業のウェブサイトのアドレス３１２、その企業のキャッチコピー３１３、その企業の意見を表明するメッセージ３１４、その企業が行うイベントのタイトル３１５、その企業が行うイベントの情報３１６、また、イベントの期間３１７、図示しないがイメージ写真をいう。このように、使用者の所定の情報はこれらのうち少なくとも１以上を有することが好ましい。尚、図示しないが使用者の住所、電話番号もこれらに含まれる。
【００１６】
このように所定の情報を記載したメッセージカード３０である第１の実施例のメッセージカード３０Ａは、その企業のロゴマーク３１１、その企業のウェブサイトのアドレス３１２、その企業のキャッチコピー３１３、その企業の意見を表明するメッセージ３１４を有するものであり、その企業のロゴマーク３１１の下方に、その企業のウェブサイトのアドレス３１２を記載し、その下方にその企業のキャッチコピー３１３を記載するとともにさらにその下方にその企業のキャッチコピー３１３を記載したものである。
【００１７】
また、メッセージカード３０である第２の実施例のメッセージカード３０Ｂは、そのカードの大部分を占める位置にその企業が行うイベントのタイトル３１５、その企業が行うイベントの情報３１６を記載するとともに、その下方に、そのイベントの期間３１７を記載し、さらにその下方に企業のロゴマーク３１１を記載しその下方にその企業のウェブサイトのアドレス３１２を記載するというものである。
【００１８】
また、メッセージカード３０である第３の実施例のメッセージカード３０Ｃは、上方であって、左右中央にその企業のロゴマーク３１１を記載し、その下方に、その企業が行うイベントのタイトル３１５を記載するというものである。また、さらにその下方に、その企業のウェブサイトのアドレス３１２を記載するというものである。
【００１９】
また、メッセージカード３０である第４の実施例のメッセージカード３０Ｄは、上方であって、左右中央にその企業のロゴマーク３１１を記載し、その下方に、その企業のウェブサイトのアドレス３１２を記載するというものである。
【００２０】
上述の第１の実施例のメッセージカード３０Ａ、第２の実施例のメッセージカード３０Ｂ、第３の実施例のメッセージカード３０Ｃ、第４の実施例のメッセージカード３０Ｄは、これら所定に情報以外にも任意の情報を記載することができる。尚、後述する第５の実施例のメッセージカード３０Ｅおよび第６の実施例のメッセージカード３０Ｆも同様である。
【００２１】
また、メッセージカード３０である上述の第１の実施例のメッセージカード３０Ａ、第２の実施例のメッセージカード３０Ｂ、第３の実施例のメッセージカード３０Ｃ、第４の実施例のメッセージカード３０Ｄは、例えば、矩形状であって、名刺サイズの紙片を縦型にして使用することができる。もっとも、メッセージカード３０の大きさを後述する包装部４０の大きさに合わせることで、その包装部４０の内部にメッセージカード３０を入れた際に、そのメッセージカード３０がずれて動くことを防止することができる。また、メッセージカード３０である上述の第１の実施例のメッセージカード３０Ａ、第２の実施例のメッセージカード３０Ｂ、第３の実施例のメッセージカード３０Ｃ、第４の実施例のメッセージカード３０Ｄは、合成紙を使用することが好ましい。
【００２２】
また、上述のいずれの実施例におけるメッセージカード３０を、その裏面に粘着する粘着部を有するシールとすることが好ましい。後述するように、ノベルティーグッズ２０に直接貼り付けることも可能であり、また、包装部４０に貼り付けることができる。
【００２３】
また、メッセージカード３０である第５の実施例のメッセージカード３０Ｅはいわば立体的形状を呈するようにすることが好ましい。例えば山折り線３６を入れることで、側面視三角形状を呈する立体的形状を構成することができる。この場合に、上下逆さに企業のロゴマーク３１１を記載し、その上方に、その企業のウェブサイトのアドレス３１２を上下逆さに記載するとともに、その下方に、その企業のキャッチコピー３１３を記載するというものである。このように記載し、山折り線３６を折れば、上記所定の情報を正視することができる（図６Ａ参照）。
【００２４】
また、メッセージカード３０である第６の実施例のメッセージカード３０Ｆにおいては、その長さの４分の１の位置に、谷折り線３７を入れることで、下部３８を支えにして立たせることができる。この場合に、企業のロゴマーク３１１を記載し、その下方に、その企業のウェブサイトのアドレス３１２を記載するというものである。また、下部３８その企業が行うイベントのタイトル３１５を記載するというものである。また、その下方に、その企業のキャッチコピー３１３を記載するというものである。
【００２５】
次に、包装部４０は、ノベルティーグッズ２０を包装するものであり、例えば、いわゆる袋状を呈する袋４０Ａが好ましい。これは、透明な塩化ビニル樹脂製の袋、または、ポリプロピレンなど塩化ビニル樹脂以外の合成樹脂で作成されたものも含む趣旨である。もっとも、不透明な袋４０Ａであってもよい。その場合は、メッセージカード３０を包装部４０の外部に配置することができる。また、袋４０Ａは、紙、クラフト紙、ボール紙、ダンボール紙、包装紙、あるいは布類でも製作することができる。袋４０Ａが、布類である場合は、例えば巾着のような形態を取りうるものである。
【００２６】
また、包装部４０は、合成樹脂製の化粧箱４０Ｂが好ましい。また、化粧箱４０Ｂは透明であれば、その包装部４０の内部にノベルティーグッズ２０を入れた後に上述のメッセージカード３０をそのノベルティーグッズ２０上に配置することができる。また、メッセージカード３０の裏面が粘着シールであれば、包装部４０（袋４０Ａ、化粧箱４０Ｂ）の外部に貼り付けることができる。もっとも、透明である袋４０Ａ、化粧箱４０Ｂに限られず、不透明な化粧箱４０Ｂ袋であってもよい。その場合は、メッセージカード３０を包装部４０の外部に配置することができる。また、化粧箱４０Ｂのように箱状の形状を呈すれば良く、その材質として、紙、クラフト紙、ボール紙、ダンボール紙、包装紙、あるいは布類でも製作することができる。
【００２７】
このように上記構成の、使用者が選択したノベルティーグッズ２０と、その使用者の所定の情報を記載したメッセージカード３０と、そのノベルティーグッズ２０を包装する包装部４０と、を有するノベルティーグッズ包装体１０は、メッセージカード３０と、ノベルティーグッズ２０と、が別体であることから、その使用者が、顧客に対して伝達したい上記所定の情報をメッセージカード３０に記載しつつ、ノベルティーグッズ２０についてはそのような記載をあえてする必要がないことからノベルティーグッズ２０そのものの価値を毀損させることなく企業が顧客に対して伝達したい上記所定の情報であるメッセージを伝達することができるというものである。また、メッセージカード３０に、上記所定の情報を記載するので、ノベルティーグッズに上記情報を記載する場合に比して記載できる範囲を限定される場合は少ない。また、上記のとおり、第５の実施例のメッセージカード３０Ｅあるいは、第６の実施例のメッセージカード３０Ｆのように、山折り線３６や、谷折り線３７を折り曲げることで、立体的な形状を呈することになるので、その使用者が、顧客に対して伝達したい上記所定の情報を顧客に印象付けることができる（図６Ａ、Ｂ参照）。
【００２８】
このように、上記実施例は、ノベルティーグッズの価値を毀損することなく、必要な所定の情報を顧客に伝達することができる、使用者が選択したノベルティーグッズ２０と、その使用者の所定の情報を記載したメッセージカード３０と、そのノベルティーグッズを包装する包装部４０と、を有するノベルティーグッズ包装体１０を提供するものである。
【符号の説明】
【００２９】
１０  ノベルティーグッズ包装体
２０  ノベルティーグッズ
２０Ａ  靴下
２０Ｂ  動物の形状を模した付箋
３０  メッセージカード
３０Ａ  第１の実施例のメッセージカード
３０Ｂ  第２の実施例のメッセージカード
３０Ｃ  第３の実施例のメッセージカード
３０Ｄ  第４の実施例のメッセージカード
３０Ｅ  第５の実施例のメッセージカード
３０Ｆ  第６の実施例のメッセージカード
４０  包装部
４０Ａ  袋
４０Ｂ  化粧箱
【図１】
0003222179.tif 000003
【図２】
0003222179.tif 000004
【図３】
0003222179.tif 000005
【図４】
0003222179.tif 000006
【図５】
0003222179.tif 000007
【図６】
0003222179.tif 000008
【図７】
0003222179.tif 000009
【手続補正書】
【提出日】令和1年5月17日(2019.5.17)
【手続補正１】
【補正対象書類名】実用新案登録請求の範囲
【補正対象項目名】全文
【補正方法】変更
【補正の内容】
【実用新案登録請求の範囲】
【請求項１】
使用者が選択したノベルティーグッズと、
前記使用者の所定の情報を記載したメッセージカードと、
前記ノベルティーグッズを包装する包装部と、を有し、
前記メッセージカードは、前記包装部の内部または外部に配置したノベルティーグッズ包装体。
【請求項２】
前記メッセージカードの裏面に粘着する粘着部を有する請求項１記載のノベルティーグッズ包装体。
【請求項３】
前記メッセージカードは、折り線を有する請求項１記載のノベルティーグッズ包装体。
【請求項４】
前記メッセージカードは、少なくとも企業のロゴマークを記載する請求項１から３のいずれか１項に記載のノベルティーグッズ包装体。
【手続補正２】
【補正対象書類名】明細書
【補正対象項目名】０００７
【補正方法】変更
【補正の内容】
【０００７】
第１観点におけるノベルティーグッズ包装体は、使用者が選択したノベルティーグッズと、使用者の所定の情報を記載したメッセージカードと、ノベルティーグッズを包装する包装部と、を有し、メッセージカードは、包装部の内部または外部に配置したというものである。
【手続補正３】
【補正対象書類名】明細書
【補正対象項目名】０００８
【補正方法】変更
【補正の内容】
【０００８】
第２観点におけるノベルティーグッズ包装体は、第１観点において、メッセージカードの裏面に粘着する粘着部を有するというものである。